(57)【要約】      （修正有）【課題】栄養成分および他の液体を提供するための部分的に圧潰可能なボトルおよび部分的に圧潰可能なボトルの使用方法を提供する。【解決手段】剛性壁２０および半剛性壁３０を有するボトル１０を提供する。半剛性壁３０は、圧潰状態で剛性壁２０の内側に適合するように構成および配置される。ボトル１０は、例えば、約１００ｍＬ〜約５０００ｍＬの適当な容量を保つようにサイズを決定されうる。【選択図】図１
2014208270.tif 000002
【特許請求の範囲】
【請求項１】
ボトルであって、
剛性壁と、
半剛性壁であり、前記半剛性壁が圧潰状態で前記剛性壁の内側に適合するように構成および配置され、前記半剛性壁が約１５ｍｂａｒ〜約８０ｍｂａｒの範囲の加圧により圧潰可能であり、前記半剛性壁が前記剛性壁の表面積よりも大きいまたは等しい表面積を有し、前記ボトルが約１００ｍＬ〜約５０００ｍＬの範囲の容量を有する、半剛性壁と
を備えるボトル。
【請求項２】
経腸補給用のボトルである、請求項１に記載のボトル。
【請求項３】
前記半剛性壁が約４０ｍｂａｒ〜約６０ｍｂａｒの範囲の加圧により圧潰可能である、請求項１に記載のボトル。
【請求項４】
前記半剛性壁が約４５ｍｂａｒ〜約５５ｍｂａｒの範囲の加圧により圧潰可能である、請求項１に記載のボトル。
【請求項５】
少なくとも１つのアクティブバリア材料、または少なくとも１つのパッシブバリア材料、または少なくとも１つのアクティブバリア材料と少なくとも１つのパッシブバリア材料をさらに備える、請求項１に記載のボトル。
【請求項６】
吊下げ機構をさらに備える、請求項１に記載のボトル。
【請求項７】
前記剛性壁および前記半剛性壁が、少なくとも１つの単層材料、または少なくとも１つの多層材料、または単層材料と多層材料の組合せからなる、請求項１に記載のボトル。
【請求項８】
首部を形成しかつ前記剛性壁を有する本体と、
前記首部に取り付けられる蓋部と、
前記蓋部から延びる経腸補給チューブと
を備える、請求項１に記載のボトル。
【請求項９】
非経口投与のために患者に栄養成分を供給する方法であって、
請求項１〜８のいずれか一項に記載の前記ボトルに前記栄養成分を充填し、
前記容器から延びる経腸補給チューブを通じて前記栄養成分を前記患者に経腸投与すること
を含む方法。
【請求項１０】
前記患者が哺乳動物である、請求項９に記載の方法。
【請求項１１】
前記患者が人である、請求項９に記載の方法。
【請求項１２】
前記栄養成分が投与されるにつれて前記半剛性壁が圧潰する、請求項９に記載の方法。
【請求項１３】
請求項１〜８のいずれか一項に記載の前記ボトルの使用を含む医療費の低減方法であって、
前記医療費の低減が、他のボトルを使用した人と比べて経腸補給溶液の汚染が減少することに起因する方法。
【請求項１４】
前記医療費の低減が、微生物感染の発生率の低下に起因する、請求項１３に記載の方法。
【請求項１５】
前記医療費の低減が、真菌感染症（鵝口瘡｛がこうそう｝）、尿路感染症、クロストリジウム・ディフィシレ関連下痢症、およびこれらの組合せからなる群から選択される、抗生物質の使用の減少に起因する、請求項１３に記載の方法。
【請求項１６】
前記医療費の低減が、真菌感染症（鵝口瘡｛がこうそう｝）、尿路感染症、クロストリジウム・ディフィシレ関連下痢症、抗生物質耐性菌、メチシリン耐性黄色｛たいせい  おうしょく｝ブドウ球菌｛きゅうきん｝およびこれらの組合せからなる群から選択される、抗生物質の使用からの後遺症の減少に起因する、請求項１５に記載の方法。
【請求項１７】
前記医療費の低減が、経腸溶液の開封後期限の増加に起因する、請求項１３に記載の方法。
【請求項１８】
前記医療費の低減が、前記経腸チューブの閉塞の減少に起因する、請求項１３に記載の方法。
【請求項１９】
前記医療費の低減が、看護時間の節約に起因する、請求項１３に記載の方法。
【請求項２０】
前記医療費の低減が、他のボトルの使用時と比べて経腸補給ポンプからの警告数が減少することに起因する、請求項１３に記載の方法。
【請求項２１】
前記医療費の低減が、環境負荷または廃棄費用の減少に起因し、前記減少が、他のボトルと比べてボトル製造に用いられる材料が少ないことにより、他のボトルと比べて二酸化炭素排出量が減少することに起因する、請求項１３に記載の方法。
【請求項２２】
前記医療費の低減が、環境負荷または廃棄費用の低減に起因し、前記減少が、他のボトルと比べて廃棄量が少ないことにより、他のボトルと比べて二酸化炭素排出量が減少することに起因する、請求項１３に記載の方法。
【発明の詳細な説明】
【技術分野】
【０００１】
[0001]本開示は、健康および栄養に関する。より具体的には、本開示は、栄養成分および他の液体の貯蔵および投与に有用なボトルおよび方法に関する。
【背景技術】
【０００２】
[0002]食物または他の形式の栄養を経口摂取できない哺乳動物、（人の）患者などへの栄養成分の投与は、しばしば非常に重要である。例えば、口より下の個所の消化器へ食物を直接堆積させる補給チューブを有する経腸ボトルは、患者が食物を経口摂取できない期間または経口摂取を拒む期間に生命を持続させるためにしばしば使用される。ボトル、補給チューブ、および他の人工的な投与システムおよび投与経路は、急性疾患の治療中に一時的に使用できる。慢性疾患の場合、このようなシステムおよび経路は、患者の余命期間にわたって持続する治療計画の一部として使用できる。使用期間にかかわらず、これらの装置は、患者に栄養補給するための唯一の手段をしばしば提供する。
【発明の概要】
【発明が解決しようとする課題】
【０００３】
[0003]しばしば「フォーミュラ（ｆｏｒｍｕｌａ）」と称される液体栄養成分は、一般に補給容器に貯蔵されて患者に投与される。従来の剛性のフォーミュラ容器は、特に臨床現場における欠点を有する。例えば、尖った物による容器の穴あけは、複数の要素の収集および取扱いを伴うので、栄養成分への汚染物質の混入の機会をもたらす。さらに、フォーミュラが患者に投与されるときに、剛性ボトル中に残された空間は、微生物、特に細菌が集まる空間を提供し、これにより、フォーミュラが汚染され、場合によっては、溶液の開封後期限（ｈａｎｇ  ｔｉｍｅ）が減少する。フォーミュラが患者に摂取される直接経路を考慮すると、汚染されたフォーミュラは、治療が困難である深刻な院内感染を含む感染を引き起こす。汚染されたフォーミュラは、補給チューブ内における微生物の成長を引き起こし、チューブの水洗および／または交換が必要となる。
【課題を解決するための手段】
【０００４】
[0004]本開示は、栄養成分および他の液体を提供するための部分的に圧潰可能なボトルおよび部分的に圧潰可能なボトルの使用方法に関する。実施形態の全般において、本開示は、剛性壁および半剛性壁を有するボトルを提供する。半剛性壁は、圧潰状態で剛性壁の内側に適合（ａｄａｐｔ）するように構成（ｃｏｎｓｔｒｕｃｔ）および配置（ａｒｒａｎｇｅ）される。ボトルは、例えば、約１００ｍＬ〜約５０００ｍＬの適当な容量を保つようにサイズを決定されうる。
【０００５】
[0005]一実施形態において、半剛性壁は、約１５ｍｂａｒ〜約８０ｍｂａｒの範囲の加圧により圧潰可能である。半剛性壁は、約４０ｍｂａｒ〜約６０ｍｂａｒの範囲の加圧で圧潰可能でもよい。さらに、半剛性壁は、約４５ｍｂａｒ〜約５５ｍｂａｒの範囲の加圧で圧潰可能でもよい。半剛性壁は、約５０ｍｂａｒの加圧で圧潰可能でもよい。
【０００６】
[0006]一実施形態において、半剛性壁は、剛性壁の表面積よりも大きいまたは等しい表面積を有する。剛性壁および半剛性壁は、ボトルの対向する面を形成しうる。一実施形態において、半剛性壁は、襞付けされていない。
【０００７】
[0007]他の実施形態において、本開示は、首部を形成しかつ剛性壁を有する本体を有する経腸ボトルを提供する。半剛性壁は、圧潰状態で剛性壁の内側に適合するように構成および配置される。首部には、蓋部が取り付けられる。蓋部からは、経腸補給チューブが延びる。
【０００８】
[0008]他の実施形態において、本開示は、非経口投与のために患者に栄養成分を供給する方法を提供する。本方法は、容器に栄養成分を充填することを含む。容器は、剛性壁および半剛性壁を有する。半剛性壁は、圧潰状態で剛性壁の内側に適合するように構成および配置される。本方法は、容器から延びる経腸補給チューブを通じて栄養成分を患者に経腸投与することをさらに含む。
【０００９】
[0009]さらに他の実施形態において、本開示は、患者への投与のための経腸補給フォーミュレーション（ｆｏｒｍｕｌａｔｉｏｎ）の汚染の可能性を低減する方法を提供する。本方法は、経腸ボトルに栄養成分を充填することを含む。経腸ボトルは、剛性壁および半剛性壁を有する。半剛性壁は、圧潰状態で剛性壁の内側に適合するように構成および配置される。本方法は、栄養成分を患者に経腸投与することをさらに含む。半剛性壁は、栄養成分が投与されるにつれて圧潰するように構成および配置される。
【００１０】
[0010]本開示の一利点は、改良された部分的に圧潰可能なボトルを提供することである。
【００１１】
[0011]本開示の他の利点は、改良された経腸補給ボトルを提供することである。
【００１２】
[0012]本開示のさらに他の利点は、汚染を最小化する改良された経腸栄養の投与方法を提供することである。
【００１３】
[0013]本開示のさらに他の利点は、患者への空気の投与量を最小化する改良された経腸栄養の投与方法を提供することである。
【００１４】
[0014]他の特徴および利点は、ここで説明され、以下の詳細な説明および図面から明らかとなる。
【図面の簡単な説明】
【００１５】
【図１】本開示の一実施形態に係るボトルの斜視図である。
【図２】本開示の一実施形態に係るボトルの圧潰状態における斜視図である。
【図３】本開示の一実施形態に係る、投与アセンブリに接続されたボトルの斜視図である。
【発明を実施するための形態】
【００１６】
[0018]本開示は、栄養成分および他の流体を供給するための部分的に圧潰可能なボトルに関する。ボトルは、栄養成分または流体がボトルから個体または患者へ投与されながら部分的に圧潰するように、構成および配置される。これによって、ボトルは、投与中における汚染物質および空気の進入を防止できる。
【００１７】
[0019]ここで、用語「栄養成分（ｎｕｔｒｉｔｉｏｎａｌ  ｃｏｍｐｏｓｉｔｉｏｎ）」は、非限定的に、完全な栄養成分、部分的または不完全な栄養成分、および疾患専用または症状専用の栄養成分を含む。完全な栄養成分（つまり、必須の主要栄養素および微量栄養素を全て含む栄養成分）は、患者のための単独の栄養源として使用できる。患者は、このような完全な栄養成分から栄養所要量を１００％入手できる。部分的または不完全な栄養成分は、必須の主要栄養素および微量栄養素を全ては含有しておらず、患者のための単独の栄養源としては使用できない。部分的または不完全な栄養成分は、栄養補助剤として使用できる。
【００１８】
[0020]ここで、用語「微生物（Ｍｉｃｒｏｂｅまたはｍｉｃｒｏｂｉａｌ）」は、微小な（通常、裸眼で視認するには小さ過ぎる）生物を意味し、細菌、真菌、古生菌、原生生物、ならびに、プランクトン、プラナリアおよびアメーバなどの微小植物（緑藻類と称される）および微小動物、ウイルス、および感染または疾患を発生可能な非生物を含む。
【００１９】
[0021]疾患専用または症状専用の栄養成分は、栄養または薬剤を投与する成分であり、完全または部分的な栄養成分でありうる。疾患専用または症状専用の栄養成分は、術後感染症を低減するためにＮｅｓｔｌｅ  Ｎｕｔｒｉｔｉｏｎ社から販売されているＩｍｐａｃｔ（登録商標）、糖尿病または高血糖症の人のために同社から販売されているＤｉａｂｅｔｉｓｏｕｒｃｅ  ＡＣ（登録商標）、および肺疾患症の患者または人工呼吸器を必要とする人のために同社から販売されているＮｏｖａｓｏｕｒｃｅ（登録商標）Ｐｕｌｍｏｎａｒｙ等、所定の状況を補助するために作られた成分である。
【００２０】
[0022]図１、図２に示すように、一実施形態において、本開示は、剛性壁２０および半剛性壁３０を有するボトル１０を提供する。半剛性壁３０は、圧潰形態（図２参照）で剛性壁２０の内側２２に適合するように構成および配置される。半剛性壁３０は、半剛性壁３０と剛性壁２０の境界をなす折畳み線４０まで、全面に沿って圧潰しうる。ボトル１０は、ボトルが完全に充填されるとき、部分的に充填されるとき、または空のときに立て置きできるように幅広な基部を有しうる。
【００２１】
[0023]ボトル１０は、ボトル１０の首部１４に取り付けられる気密性の蓋部５０をさらに含みうる。蓋部５０は、補給アセンブリまたは補給チューブへの接続を容易にするための通路を形成する立上部５２を含みうる。
【００２２】
[0024]ここで、用語「半剛性壁」は、柔軟性／伸縮性を有し、圧力を加えられた後に元の形状または位置に復帰しない材料を意味する。ここで、用語「剛性壁」は、堅くまたは曲がり、圧力を加えられた後に元の形状またはほぼ元の形状に復帰する材料を意味する。
【００２３】
[0025]半剛性壁３０は、ボトル１０に対する所望の陰圧（吸引／真空など）または陽圧（圧縮など）で部分的または完全に圧潰するように構成および配置されうる。例えば、圧力は、ボトル１０の内容物を患者に投与中にボトル１０から栄養成分／液体が取り除かれることで生じうる。よって、栄養成分／液体が取り除かれるときに、真空圧が半剛性壁３０を圧潰させ、ボトル１０の内側に空気が侵入しない。あるいは、圧力は、半剛性壁３０の外側を圧迫または圧縮することで生じうる。
【００２４】
[0026]一実施形態において、半剛性壁３０は、約１５ｍｂａｒ〜約８０ｍｂａｒの範囲の加圧で圧潰可能である。半剛性壁３０は、約４０ｍｂａｒ〜約６０ｍｂａｒの範囲の加圧で圧潰可能でもよい。さらに、半剛性壁３０は、約４５ｍｂａｒ〜約５５ｍｂａｒの範囲の加圧で圧潰可能でもよい。半剛性壁３０は、約５０ｍｂａｒの加圧で圧潰可能でもよい。
【００２５】
[0027]一実施形態において、半剛性壁３０の首部の下は、剛性壁２０の首部１４の下の表面積よりも大きくまたは等しい表面積を有する。剛性壁２０と半剛性壁３０は、ボトル１０の対向する面を形成しうる。半剛性壁３０は、圧潰可能となるように襞付けされなくてもよい。一実施形態において、半剛性壁３０は、襞付けされていないが圧潰可能である。
【００２６】
[0028]図３に示すように、他の実施形態において、経腸ボトル１１０は、首部１１４を形成しかつ剛性壁１２０および半剛性壁１３０を有する本体１１２を有する。半剛性壁１３０は、圧潰形態で剛性壁１２０の内側１２２に適合するように構成および配置される。半剛性壁１３０は、半剛性壁１３０と剛性壁１２０の境界をなす折畳み線１４０まで、全面に沿って圧潰しうる。ボトル１１０は、ボトルが完全に充填されるとき、部分的に充填されるとき、または空のときに立て置きできるように幅広な基部を有しうる。
【００２７】
[0029]ボトル１１０は、首部１１４に取り付けられる気密性の蓋部１５０をさらに含みうる。首部１１４は、幅広な首部であり、蓋部１５０は、再密閉可能なねじ切りされた蓋部でありうる。蓋部１５０は、補給アセンブリまたは補給チューブへの接続を容易にするための通路を形成する立上部１５２を含みうる。
【００２８】
[0030]投与アセンブリ１６０は、蓋部１５０の立上部１５２に取り付け可能であり、立上部１５２から延設可能である。投与アセンブリ１６０は、グリップ面１６２と、グリップ面１６２に接続される経腸補給チューブ１６４と、経腸補給チューブ１６４の端部に接続される患者アクセス端１６８とを含みうる。投与アセンブリ１６０は、ボトル１１０の使用中にボトル１１０から患者へのフォーミュラの栄養成分または移動経路を提供する。
【００２９】
[0031]患者アクセス端１６８は、適当な患者アクセス終端（ｔｅｒｍｉｎａｌ）、先端（ｔｉｐ）、または適当な構造でありうる。当業者は、患者の体において意図されるアクセス個所、フォーミュラの性質、および他の適当な配慮を含む、様々な配慮に基づき適当な患者アクセス端１６８を選択しうる。適当な患者アクセス端１６８の例は、ニードル、先に配置されたニードルおよび他のアクセス装置に接続するように配置されるルアコネクタ、患者に先に配置されたアクセス口に接続可能な構造、胃へのアクセスを提供する胸壁口、空腸口および他の適当なアクセス口など、および適当な方法でボトル１１０からフォーミュラを投与可能な他の構造を含む。また、補給チューブ１６４および患者アクセス端１６８は、経鼻胃チューブ、経口胃チューブ、または他の適当な形状として配置されうる。
【００３０】
[0032]ボトル１０、１１０は、例えば約１００ｍＬ〜５０００ｍＬなど、適当な容量を保つようにサイズを決定可能であり、両容量間の任意の容量、１００ｍＬ、２００ｍＬ、３００ｍＬ、４００ｍＬ、５００ｍＬ、６００ｍＬ、７００ｍＬ、８００ｍＬ、９００ｍＬ、１０００ｍＬ、１５００ｍＬ、２０００ｍＬ、２５００ｍＬ、３０００ｍＬ、３５００ｍＬ、４０００ｍＬ、４５００ｍＬ、５０００ｍＬを含むいくつかの好適な実施形態などを含むことが意図される。
【００３１】
[0033]半剛性壁３０、１３０および剛性壁２０、１２０は、単層フィルムまたは多層フィルムなど、部分的または完全な柔軟性を有する任意の適当な材料から構成されうる。単層フィルムまたは多層フィルムは、それらのコストおよびリサイクル性から選択されうる。単層フィルムまたは多層フィルムは、それらのバリア特性からも選択されうる。
【００３２】
[0034]単層フィルムまたは多層フィルムの適当な材料は、例えば、ポリエチレン（「ＰＥ」）、低密度ポリエチレン（「ＬＤＰＥ」）、高密度ポリエチレン（「ＨＤＰＥ」）、ポリプロピレン（「ＰＰ」）またはポリエチレンテレフタレート（「ＰＥＴ」）などのポリオレフィンでもよい。単層フィルムまたは多層フィルムは、例えば、エチレンビニルアルコール（「ＥＶＯＨ」）、ポリアミド（「ＰＡ」）（ナイロン、Ｍｘｄ６など）などの酸素バリア材料を含みうる。単層フィルムまたは多層フィルムは、光バリアを提供しうる。それらは、光／紫外線に対する部分的または完全なバリアを提供しうる。例えば、フィルムは、部分的に不透明でもよい。フィルムは、ボトル内の栄養成分を視認可能としながらも、光に不安定で紫外線に反応し易い物質を保護しうる。
【００３３】
[0035]本開示の他の実施形態における部分的に圧潰可能なボトルは、ボトルの適当な部分に取り付けられる吊下げ機構（不図示）を有しうる。吊下げ機構は、フックまたはループでもよい。ボトルは、パッケージの一部（パッケージラベルの一部またはパッケージの周囲部など）として組み込まれた吊下げ機構を有するパッケージの一部として販売されてもよい。
【００３４】
[0036]部分的に圧潰可能なボトルは、無菌で充填され、適当な無菌処理および無菌充填により、より美味な製品を収容しうる。ボトルは、微温処理または超高温に晒されうる。ボトルは、蒸留（ｒｅｔｏｒｔ）処理（フルバス、蒸気、連続、バッチなど）に晒されてもよい。
【００３５】
[0037]部分的に圧潰可能なボトルは、チューブ補給用および経腸補給用の栄養製品、乳幼児用フォーミュラ、調味料、ミルクおよび経腸フォーミュラを収容し、投与するために使用されうる。補給中にボトルの部分的な圧潰を可能にすることで、開放補給（ｏｐｅｎ  ｆｅｅｄｉｎｇ）システムおよび剛性の通気ボトルと比較して、２４時間における内容物中の汚染微生物が少ないことから、安全性の増加が判断される。このことは、汚染された製品による感染症数の減少（抗生物質の必要性の低下など）および入院日数の減少によって、健康上および経済上の利益をもたらす。
【００３６】
[0038]部分的に圧潰可能なボトルの形状は、静脈内（「ＩＶ」）袋と混同されるリスクを低減しうる。ボトルは、例えば安全性の増加によって、健康上および経済上の利益をもたらす。このことは、ボトルの汚染から生じる発症率の低下によりなされうる。このような汚染は、ボトル内の栄養成分を摂取する患者における下痢および感染症を引き起こしうる。補給チューブ内における微生物の異常増殖が低減可能となり、チューブの寿命が延長可能となる。本開示の実施形態におけるボトルの使用は、一般の経腸ボトルよりも貯蔵空間の必要性を低減させうる。
【００３７】
[0039]製造時において、部分的に圧潰可能なボトルは、他の柔軟性袋と比べて、密封すべき材料継ぎ目を減少させうる（縦継ぎ目、横継ぎ目、二重点／三重点など）。ボトルは、液漏れのリスクを低減でき、密封継ぎ目の検査を簡略化できる。
【００３８】
[0040]他の実施形態において、本開示は、非経口投与のために患者への栄養成分を供給する方法を提供する。本方法は、容器に栄養成分を充填することを含む。容器は、剛性壁および半剛性壁を有する。半剛性壁は、圧潰形態で剛性壁の内側に適合するように構成および配置される。本方法は、容器から延びる経腸補給チューブを通じて栄養成分を患者に経腸投与することをさらに含む。
【００３９】
[0041]ここで、用語「約」は、数値範囲における数を意味すると理解されうる。さらに、ここでの数値範囲は、範囲内における全ての整数、分数を含むものと理解される。
【００４０】
[0042]ここで、「完全な栄養」は、投与の対象となる動物のための単独の栄養源に十分になりうる、十分な種類および程度の主要栄養素（タンパク質、脂肪および炭水化物）および微量栄養素を含む栄養製品である。患者は、このような完全な栄養成分から栄養所要量を１００％摂取できる。
【００４１】
[0043]ここで、「不完全な栄養」は、投与の対象となる動物のための単独の栄養源に十分になりえない、十分な程度の主要栄養素（タンパク質、脂肪および炭水化物）および微量栄養素を含まない栄養製品である。部分的または不完全な栄養成分は、栄養補助剤として利用できる。
【００４２】
[0044]ここで、「長期投与」は、６週間を超える連続投与でありうる。
【００４３】
[0045]ここで、哺乳動物は、非限定的に、げっ歯動物、水生哺乳動物、犬および猫などの家畜、羊、豚、牛および馬などの家畜、および人を含む。用語「哺乳動物」が使用されている場合、哺乳動物により発揮される効果または発揮を意図される効果をもたらしうる他の動物にも適用されることが期待される。
【００４４】
[0046]栄養製品は、例えば、酸味料、追加増粘剤、ｐＨ調整バッファまたはｐＨ調整剤、キレート剤、着色料、乳化剤、添加剤、着香料、ミネラル、浸透物質、医薬的に許容された担体、保存料、安定剤、糖類、甘味料、調質剤、および／またはビタミンなどの１以上である従来の食品添加料を含む、何種類かの任意の追加成分をさらに含む。任意の成分は、適当な量で添加されうる。
【００４５】
[0047]ここで、用語「患者（ｐａｔｉｅｎｔ）」は、動物、具体的には哺乳動物、より具体的には、ここで定義されるように、治療を受ける人または受けることを意図される人を含むと理解される。
【００４６】
[0048]本明細書および請求の範囲では、単数形「ａ」、「ａｎ」および「ｔｈｅ」は、文脈上で明確に規定されていない限り、複数の指示対象を含む。よって、例えば、「ａ  ｐｏｌｙｐｅｐｔｉｄｅ」の参照は、２以上のポリペプチドの組合せなどを含む。
【００４７】
[0049]本出願に含まれる数値範囲は、その範囲に含まれる全ての整数および分数を含むことを意図している。
【００４８】
[0050]ここで、用語「短期投与」は、６週間未満の連続的な投与でありうる。
【００４９】
[0051]ここで、「チューブ補給」は、経口投与を除く、非限定的に、経鼻胃チューブ、経口胃チューブ、胃チューブ、経皮空腸瘻チューブ（Ｊチューブ）、経皮的内視鏡下胃瘻造設術｛けいひてき  ないしきょう  かいろう  ぞうせつじゅつ｝を含む、動物の消化器系に投与される、完全または不完全な栄養製品でありうる。
【００５０】
[0052]さらに他の実施形態において、本開示は、患者への投与のための経腸補給フォーミュレーションの汚染の可能性を低減させる方法を提供する。本方法は、経腸ボトルに栄養成分を充填することを含む。経腸ボトルは、剛性壁および半剛性壁を有する。半剛性壁は、圧潰形態で剛性壁の内側に適合するように構成および配置される。本方法は、栄養成分を患者に経腸投与することをさらに含む。半剛性壁は、栄養成分が投与されながら圧潰するように構成および配置される。
【００５１】
[0053]部分的に圧潰可能なボトルを用いて栄養成分または経腸補給フォーミュレーションを投与することで、開放システムを有する従来の剛性ボトル（フォーミュラを消費するときに空気がボトルに進入可能であるなど）と比べて、チューブ補給の準備に要する看護時間が減少することから、使用性の向上を判断することができる。部分的に圧潰可能なボトルは、一般的な剛性の通気ボトル（使用中に通気孔が閉塞しうる）と比べて、取扱いが用意であり、看護士による操作が少ない。
【００５２】
[0054]本開示の他の実施形態における部分的に圧潰可能なボトルは、空気に依存しないシステムがチューブ補給と経口補給の両方を可能にするので、使用の柔軟性をもたらす。一実施形態におけるボトルは、ポンプまたは重力によるチューブ補給のための投与セットの容易な接続をもたらしうる。
【００５３】
[0055]一実施形態における部分的に圧潰可能なボトルは、環境負荷および廃棄負荷の低減をもたらしうる。例えば、一実施形態における部分的に圧潰可能なボトルは、蒸留されたガラスおよびプラスチックの剛性ボトルと比べて、低い二酸化炭素排出量を有するように構成されうる。一実施形態における部分的に圧潰可能なボトルは、蒸留された柔軟袋と比べて、低い二酸化炭素排出量を有するように構成されうる。一実施形態における部分的に圧潰可能なボトルは、プラスチックの剛性ボトルと比べて、少ないプラスチック材料を使用するように構成されうる。一実施形態における部分的に圧潰可能なボトルは、プラスチックの剛性ボトルと比べて、少ない廃棄量を有するように構成されうる。
【００５４】
[0056]部分的に圧潰可能なボトルは、例えば、従来の押出ブロー成形、延伸ブロー成形（第１ステージおよび第２ステージ）または射出延伸ブロー成形などの適当な製造方法を用いて作成されうる。
【００５５】
[0057]当然のことながら、本明細書に記載された目下の好適な実施形態に対する様々な変形および修正が当業者にとって明らかである。このような変更および修正は、目下の主題の精神および範囲から逸脱しない範囲、および意図される効果を減少させない範囲において可能である。よって、このような変更および修正は、請求の範囲に包含されるものと意図される。
【図１】
2014208270.tif 000003
【図２】
2014208270.tif 000004
【図３】
2014208270.tif 000005
【手続補正書】
【提出日】平成26年6月23日(2014.6.23)
【手続補正１】
【補正対象書類名】特許請求の範囲
【補正対象項目名】全文
【補正方法】変更
【補正の内容】
【特許請求の範囲】
【請求項１】
ボトルであって、
剛性壁と、
半剛性壁であり、前記半剛性壁が圧潰状態で前記剛性壁の内側に適合するように構成および配置され、前記半剛性壁が約１５ｍｂａｒ〜約８０ｍｂａｒの範囲の加圧により圧潰可能であり、前記半剛性壁が前記剛性壁の表面積よりも大きいまたは等しい表面積を有し、前記ボトルが約１００ｍＬ〜約５０００ｍＬの範囲の容量を有する、半剛性壁と
を備えるボトル。
【請求項２】
経腸補給用のボトルである、請求項１に記載のボトル。
【請求項３】
前記半剛性壁が約４０ｍｂａｒ〜約６０ｍｂａｒの範囲の加圧により圧潰可能である、請求項１に記載のボトル。
【請求項４】
前記半剛性壁が約４５ｍｂａｒ〜約５５ｍｂａｒの範囲の加圧により圧潰可能である、請求項１に記載のボトル。
【請求項５】
吊下げ機構をさらに備える、請求項１に記載のボトル。
【請求項６】
前記剛性壁および前記半剛性壁が、少なくとも１つの単層材料、または少なくとも１つの多層材料、または単層材料と多層材料の組合せからなる、請求項１に記載のボトル。
【請求項７】
首部を形成しかつ前記剛性壁を有する本体と、
前記首部に取り付けられる蓋部と、
前記蓋部から延びる経腸補給チューブと
を備える、請求項１に記載のボトル。
【請求項８】
非経口投与のために患者に栄養成分を供給する方法であって、
請求項１〜７のいずれか一項に記載の前記ボトルに前記栄養成分を充填し、
前記容器から延びる経腸補給チューブを通じて前記栄養成分を前記患者に経腸投与すること
を含む方法。
【請求項９】
前記患者が哺乳動物である、請求項８に記載の方法。
【請求項１０】
前記患者が人である、請求項８に記載の方法。
【請求項１１】
前記栄養成分が投与されるにつれて前記半剛性壁が圧潰する、請求項８に記載の方法。
【外国語明細書】
2014208270000001.pdf